(57)【要約】      （修正有）【課題】容器の収納スペースを低減でき、緩めに堆積したときに下方の容器内に収納されたものが押されないようにする。【解決手段】対向する二つの壁面１１には互いに対称しない突起が複数に設けてあり、前記突起が設けた壁面の反対側には容器の底面１３まで延びた溝１２１が複数に設けてあり、容器が上下に堆積できるために、容器１の水平断面積は上から下へ徐々に縮小し、前記容器は、水平断面積がより小さくて深さがより深い矩形容器でもいいし、水平断面積がより大きくて深さがより浅い矩形容器でもいいし、丸形容器でもいい。【選択図】図１
0003119531.tif 000002
【実用新案登録請求の範囲】
【請求項１】
対向する二つの壁面には互いに対称しない突起が複数に設けてあり、
前記突起が設けた壁面の反対側には容器の底面まで延びた溝が複数に設けてあることを特徴とする、
容器の構造。
【請求項２】
前記対向する二つの壁面には、内側へ突出し互いに対称しない突起が複数に設けてあることを特徴とする、請求項１に記載の容器の構造。
【請求項３】
前記対向する二つの壁面には、外側へ突出し互いに対称しない突起が複数に設けてあることを特徴とする、請求項１に記載の容器の構造。
【請求項４】
容器が上下に堆積できるために、容器の水平断面積は上から下へ徐々に縮小することを特徴とする、請求項１に記載の容器の構造。
【請求項５】
前記容器は、水平断面積がより小さくて深さがより深い矩形容器であることを特徴とする、請求項１に記載の容器の構造。
【請求項６】
前記容器は、水平断面積がより大きくて深さがより浅い矩形容器であることを特徴とする、請求項１に記載の容器の構造。
【請求項７】
前記容器は丸形容器であることを特徴とする、請求項１に記載の容器の構造。
【考案の詳細な説明】
【技術分野】
【０００１】
本考案は、容器の構造に係り、特に、上下に堆積した後に、下方の容器の底面と、上方の容器の底面との間には収容空間が形成され、前記収容空間に収容されるものが押されない容器の構造に関するものである。
【背景技術】
【０００２】
目下、市販している容器は、水平断面積が開口から底面へ徐々に縮小し、これにより、容器は上下に堆積することができるようになり、堆積スペースが低減になり、収納は便利になる。
【考案の開示】
【考案が解決しようとする課題】
【０００３】
しかしながら、容器を上下に堆積したと、上下容器の間に収容される収容物が押されて変形になったことはよくあり、なお、容器を上下に堆積しないと、収納スペースは広くなった。
【課題を解決するための手段】
【０００４】
上記課題を解決するためになされた本願の考案は、対向する二つの壁面には互いに対称しない突起が複数に設けてあり、前記突起が設けた壁面の反対側には容器の底面まで延びた溝が複数に設けてあることを特徴とする容器の構造であることを要旨としている。
【０００５】
本願の考案では、前記対向する二つの壁面には、内側へ突出し互いに対称しない突起が複数に設けてあることを特徴とする請求項１に記載の容器の構造であることを要旨としている。
【０００６】
本願の考案では、前記対向する二つの壁面には、外側へ突出し互いに対称しない突起が複数に設けてあることを特徴とする請求項１に記載の容器の構造であることを要旨としている。
【０００７】
本願の考案では、容器が上下に堆積できるために、容器の水平断面積は上から下へ徐々に縮小することを特徴とする請求項１に記載の容器の構造であることを要旨としている。
【０００８】
本願の考案では、前記容器は、水平断面積がより小さくて深さがより深い矩形容器であることを特徴とする請求項１に記載の容器の構造であることを要旨としている。
【０００９】
本願の考案では、前記容器は、水平断面積がより大きくて深さがより浅い矩形容器であることを特徴とする請求項１に記載の容器の構造であることを要旨としている。
【００１０】
本願の考案では、前記容器は丸形容器であることを特徴とする請求項１に記載の容器の構造であることを要旨としている。
【考案の効果】
【００１１】
本考案に係る容器の構造によれば、次のような効果がある。
（イ）下方の容器内にものを収容しないとする場合には、上方の容器の溝を下方の容器の突起に対応して堆積し、下方の容器の内壁面にある突起が上方の容器の外壁面にある溝に嵌め込むので、容器は上下に緊密に堆積し、収納スペースは低減になる。
【００１２】
（ロ）下方の容器内にものを収容しようとする場合には、上方の容器を左方または右方にずれて下方の容器へ堆積し、下方の容器の内壁面にある複数の突起が上方の容器の底面の外周縁に当接して、上方の容器の底面と、下方の容器の底面との間に収容空間が形成されるので、容器は上下に緩めに堆積し、下方の容器内に収納されたものが押されない。
【考案を実施するための最良の形態】
【００１３】
以下、添付図面を参照して本考案の好適な実施の形態を詳細に説明する。
【００１４】
まず、図１乃至図１０を参照する。本考案に係る容器の構造は、容器１内に、対向する二つの内壁面１１の適当な高さには互いに対称しない突起１１１が複数に設けてあり、前記突起１１１が設けた外壁面１２には容器１の底面まで延びた溝１２１が複数に設けてあり、これにより、二つの容器１を上下に堆積しようとするときに、下方の容器１内にものを収容しないとする場合には、上方の容器１の溝１２１を下方の容器１の突起１１１に対応して堆積し、下方の容器の内壁面１１にある突起１１１が上方の容器１の外壁面１２にある溝１２１に嵌め込むので、容器１は上下に緊密に堆積し、収納スペースは低減になり、なお、下方の容器１内にものを収容しようとする場合には、上方の容器１を左方または右方にずれて下方の容器１へ堆積し、下方の容器１の内壁面１１にある複数の突起１１１が上方の容器１の底面の外周縁１３１に当接して、上方の容器１の底面と、下方の容器１の底面との間に収容空間２が形成されるので、容器１は上下に緩めに堆積し、下方の容器１内に収納されたものが押されない。
【００１５】
本考案に係る容器１は、図１乃至図４に示すように、水平断面積がより小さくて深さがより深い矩形容器でもいいし、図５に示すように、水平断面積がより大きくて深さがより浅い矩形容器でもいいし、図６に示す丸形容器でもいい。また、本考案に係る容器１は、水平断面積が容器開口１４から底面１３へ徐々に縮小し、これにより、容器１は上下に堆積することができるようになる。
【００１６】
また、図７乃至図１０を参照して本考案の使用状態を詳細に説明する。下方の容器１内にものを収容しないとする場合には、上方の容器１の溝１２１を下方の容器１の突起１１１に対応して堆積し、図７と図８に示すように、下方の容器の内壁面１１にある突起１１１が上方の容器１の外壁面１２にある溝１２１に嵌め込むので、容器１は上下に緊密に堆積し、収納スペースは低減になり、なお、下方の容器１内にものを収容しようとする場合には、図９と図１０に示すように、上方の容器１を左方または右方にずれて下方の容器１へ堆積し、下方の容器１の内壁面１１にある複数の突起１１１が上方の容器１の底面の外周縁１３１に当接して、上方の容器１の底面と、下方の容器１の底面との間に収容空間２が形成されるので、容器１は上下に緩めに堆積し、下方の容器１内に収納されたものが押されなく、また、上下容器１は丸形であれば、上方の容器１の溝１２１を下方の容器１の突起１１１に対応しない状態で堆積し、だから、下方の容器１の内壁面１１にある複数の突起１１１が上方の容器１の底面の外周縁１３１に当接して、図９と図１０に示すように、上方の容器１の底面と、下方の容器１の底面との間に収容空間２が形成されるので、容器１は上下に緩めに堆積し、下方の容器１内に収納されたものが押されなくなる。
【００１７】
また、図１１は本考案に係る他の実施例の斜視図であって、対応する二つの外壁面１２には、外側へ突出し互いに対称しない突起１２２が複数に設けてあり、且つ対応する二つの内壁面１１には、前記外壁面１２に設けた突起１２２に応じて底面１３まで延びた溝１１２が複数に設けてあり、二つの容器１を上下に堆積するときに、上方の容器１の外壁面１２にある突起１２２が下方の容器１の内壁面１１にある溝１１２に嵌め込むので、容器１は、互いに係止し、上下に緊密に堆積し、収納スペースは低減になり、なお、上方の容器１を左方または右方に９０度旋回して下方の容器１へ堆積すると、上方の容器１の外壁面１２にある複数の突起１２２は下方の容器１の内壁面１１にある溝１１２に嵌め込むことができなく、上方の容器１の底面１３の突起１２２の外周縁が下方の容器１の開口１４に当接されるので、下方の容器１内に収納されたものが押されなくなる。
【００１８】
また、図１２乃至図１３を参照して上記実施例の使用状態を詳細に説明する。下方の容器１内にものを収容しないとする場合には、図１２に示すように、上方の容器１の外壁面１２にある突起１２２を下方の容器１の内壁面１１にある溝１１２に対応して嵌め込むと、容器１は、互いに係止し、上下に緊密に堆積し、収納スペースは低減になり、なお、下方の容器１内にものを収容しようとする場合には、図１３に示すように、上方の容器１を左方または右方に９０度旋回して下方の容器１へ堆積し、又は上方の丸形の容器１を左右にずれて下方の丸形の容器１へ堆積すると、上方の容器１の外壁面１２にある複数の突起１２２は下方の容器１の内壁面１１にある溝１１２に嵌め込むことができなく、上方の容器１の底面１３の突起１２２の外周縁が下方の容器１の開口１４に当接されるので、下方の容器１内にものを収容することができるようになり、且つ収容されたものが押されなくなる。
【００１９】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２０】
【図１】本考案の斜視図１である。
【図２】本考案の斜視図２である。
【図３】本考案の上面図である。
【図４】本考案の側面図である。
【図５】本考案に係る矩形容器の斜視図である。
【図６】本考案に係る丸形容器の上面図である。
【図７】本考案に係る丸形容器が緊密に堆積された状態を示す断面図である。
【図８】本考案に係る矩形容器が緊密に堆積された状態を示す断面図である。
【図９】本考案に係る丸形容器が緩めに堆積された状態を示す断面図である。
【図１０】本考案に係る矩形容器が緩めに堆積された状態を示す断面図である。
【図１１】本考案に係る他の実施例の斜視図である。
【図１２】本考案に係る他の実施例の緊密に堆積された状態を示す断面図である。
【図１３】本考案に係る他の実施例の緩めに堆積された状態を示す断面図である。
【符号の説明】
【００２１】
１        容器                    １１      内壁面
１１１    突起                    １１２    溝
１２      外壁面                  １２１    溝
１２２    突起                    １３      底面
１３１    外周縁                  １４      容器開口
２        収容空間
【図１】
0003119531.tif 000003
【図２】
0003119531.tif 000004
【図３】
0003119531.tif 000005
【図４】
0003119531.tif 000006
【図５】
0003119531.tif 000007
【図６】
0003119531.tif 000008
【図７】
0003119531.tif 000009
【図８】
0003119531.tif 000010
【図９】
0003119531.tif 000011
【図１０】
0003119531.tif 000012
【図１１】
0003119531.tif 000013
【図１２】
0003119531.tif 000014
【図１３】
0003119531.tif 000015